(57)【特許請求の範囲】
【請求項１】
外部環境の変化を検知して警報する警報器であって、
係合凹部を備えるケース本体と、
蓋本体と、前記蓋本体に設けられるアームと、前記アームの先端部に設けられる係合凸部と、を備える蓋部材と、
を具備し、
前記ケース本体の前記係合凹部と前記蓋部材の前記係合凸部とを係合させることによって、前記蓋部材が前記ケース本体に取付けられ、
前記蓋部材の前記アームを撓ませて前記ケース本体の前記係合凹部と前記蓋部材の前記係合凸部との係合状態が解消されることによって、前記蓋部材が前記ケース本体から取外され、
前記蓋部材は、制限部を備え、
前記制限部は、前記アームの基端部側から先端部側への突出方向の中途部に亘って、前記係合凸部の突出側に配置され、  前記制限部によって前記アームの撓み量が制限される、警報器。
【請求項２】
前記蓋部材の前記制限部は、前記蓋本体と前記アームとの間に配置される、
請求項１に記載の警報器。
【請求項３】
前記制限部は、前記蓋部材と一体成形される、
請求項１または請求項２に記載の警報器。
【請求項４】
前記蓋部材の前記制限部は、任意の形状に修正されることによって、前記アームの撓み量の制限度合を調節可能に構成される、
請求項１から請求項３のいずれか一項に記載の警報器。
【発明の詳細な説明】
【技術分野】
【０００１】
本発明は、警報器の技術に関する。
【背景技術】
【０００２】
従来、警報器は、壁や天井等に取付けられて、外部環境の変化を検知して報知する警報器に関する技術は公知となっている（特許文献１参照）。
警報器には、電池（一次電池）を電源として駆動し、制御部と、センサ部と、報知部と、ランプ部と、操作部と、ケースと、を備えるものがある。前記警報器は、制御部、及び、センサ部をケース内に備え、報知部、ランプ部、および、操作部等をケースの正面に備える。
【０００３】
また、前記警報器のケースには、ケース本体と蓋部材とで構成されるものがある。前記警報器では、蓋部材をケース本体から取外した状態で、例えば、電池の入替え作業を行う。
さらに、前記警報器では、警報器のケース本体は、係合凹部を備え、警報器の蓋部材は、可撓性を有するアームと、アームの先端部に配置される係合凸部と、を備える。そして、ケース本体の係合凹部と蓋部材の係合凸部とを係合させて、蓋部材がケース本体に取付けられ、また、蓋部材のアームを撓ませてケース本体の係合凹部と蓋部材の係合凸部とを係合状態を解消させて、蓋部材がケース本体から取外される。
【先行技術文献】
【特許文献】
【０００４】
【特許文献１】特開２０１５−０１１３９５号公報
【発明の概要】
【発明が解決しようとする課題】
【０００５】
しかしながら、前記警報器では、使用者によって蓋部材がケース本体から容易に取外されることが好ましくない場合がある。
もっとも、前記警報器では、アームの可撓性の仕様によっては、ケース本体から蓋部材を容易に取外すことができ、蓋部材の取外し難さに問題が生じるものがある。
【０００６】
本発明は以上の如き状況に鑑みてなされたものであり、ケース本体から蓋部材の取外し難さを向上させることができる警報器を提供することを課題とする。
【課題を解決するための手段】
【０００７】
本発明の解決しようとする課題は以上の如くであり、次にこの課題を解決するための手段を説明する。
【０００８】
即ち、本願に開示する警報器においては、外部環境の変化を検知して警報する警報器であって、係合凹部を備えるケース本体と、蓋本体と、前記蓋本体に設けられるアームと、前記アームの先端部に設けられる係合凸部と、を備える蓋部材と、を具備し、前記ケース本体の前記係合凹部と前記蓋部材の前記係合凸部とを係合させることによって、前記蓋部材が前記ケース本体に取付けられ、前記蓋部材の前記アームを撓ませて前記ケース本体の前記係合凹部と前記蓋部材の前記係合凸部との係合状態が解消されることによって、前記蓋部材が前記ケース本体から取外され、前記蓋部材は、制限部を備え、前記制限部は、前記アームの基端部側から先端部側への突出方向の中途部に亘って、前記係合凸部の突出側に配置され、前記制限部によって前記アームの撓み量が制限されるものである。
【０００９】
本願に開示する警報器においては、前記蓋部材の前記制限部は、前記蓋本体と前記アームとの間に配置されるものである。
【００１０】
本願に開示する警報器においては、前記制限部は、前記蓋部材と一体成形されるものである。
本願に開示する警報器においては、前記蓋部材の前記制限部は、任意の形状に修正されることによって、前記アームの撓み量の制限度合を調節可能に構成されるものである。
【発明の効果】
【００１１】
本発明の効果として、以下に示すような効果を奏する。
即ち、本発明によれば、ケース本体から蓋部材の取外し難さを向上させることができる。
【図面の簡単な説明】
【００１２】
【図１】本発明の実施形態に係る警報器が取付け位置に取付けられた状態を示す図。
【図２】同じく警報器を示す斜視図。
【図３】同じく警報器を示す正面図。
【図４】同じく警報器を示す背面図。
【図５】同じく警報器を示す平面図。
【図６】同じく警報器を示す底面図。
【図７】同じく警報器を示す左側面図。
【図８】同じく警報器を示す右側面図。
【図９】同じく警報器のケース本体を示す拡大背面図。
【図１０】同じく警報器のケース本体を示す拡大左側面図。
【図１１】同じく警報器の蓋部材を示す斜視図。
【図１２】同じく警報器の蓋部材を示す正面図。
【図１３】同じく警報器の蓋部材を示す背面図。
【図１４】同じく警報器の蓋部材を示す平面図。
【図１５】同じく警報器の蓋部材を示す底面図。
【図１６】同じく警報器の蓋部材を示す左側面図。
【図１７】同じく警報器の蓋部材を示す右側面図。
【図１８】同じく警報器の蓋部材をケース本体に取付ける状態を示す平面断面図。
【図１９】同じく警報器の蓋部材をケース本体に取付けた状態を示す平面断面図。
【図２０】同じく警報器の蓋部材をケース本体から取外す状態を示す平面断面図。
【図２１】同じく警報器の蓋部材をケース本体から取外す状態を示す平面断面図。
【図２２】同じく警報器を示す正面図。
【図２３】同じく警報器を示す左側面図。
【図２４】同じく警報器のケース本体を示す拡大背面図。
【図２５】同じく警報器のケース本体を示す拡大左側面図。
【図２６】同じく警報器の蓋部材を示す左側面図。
【図２７】同じく警報器の蓋部材を示す平面図。
【発明を実施するための形態】
【００１３】
次に、本発明の実施形態に係る警報器１について、図１から図２７を用いて説明する。
【００１４】
図１に示すように、警報器１は、任意の取付け位置１００に取付けられて、外部環境の変化を検知して報知する。警報器１は、電池（一次電池）を電源として駆動する。警報器１の取付け位置１００には、例えば、天井、天井付近の壁面、または、床面付近の壁面等がある。
なお以下において、便宜上、警報器１の取付け位置１００は壁面であり、取付け位置１００に警報器１を取付けたときにおける取付け面側を警報器１の背面側として、または、取付け位置１００に警報器１を取付けたときにおける上方に位置する側を警報器１の上側面側として説明するが、取付け位置１００に取付ける警報器１の向きについて限定するものではない。
図２から図１０に示すように、警報器１は、制御部と、センサ部と、報知部２（ブザー）と、ランプ部３と、操作部４（操作スイッチ）と、ケース５と、を備える。
【００１５】
警報器１の制御部は、警報器１の各種の動作を制御する。
警報器１のセンサ部は、外部環境の変化を検知する。センサ部は、ＬＰガス、都市ガス、若しくは、一酸化炭素等の被検知ガスを検出してガス漏れ等を検知するガスセンサ、または、温度若しくは煙を検出して火災を検知する火災センサ等で構成される。
警報器１の報知部２は、音声の種類、音声パターン、音量、音圧、または、通信先等の報知態様を変更可能に構成される。報知部２は、例えば、警報音または警報メッセージ等の音声を発することによって報知する。
警報器１のランプ部３は、点灯パターン、点灯する色、または、明るさ等の点灯態様を変更可能に構成される。ランプ部３は、センサ部が外部環境の変化を検知したとき等の異常時に点灯する。
警報器１の操作部４は、作業者によって操作されることによって警報器１の各種の操作が行われる。操作部４は、中央に凸条部４ａを備え、作業者が操作し易く構成される。
【００１６】
ケース５は、正面部５ａと、背面部５ｂと、四個の側面部（上側面部５ｃ、下側面部５ｄ、左側面部５ｅ、および、右側面部５ｆ）とを備え、略六面体状に構成される。ケース５は、上側面部５ｃと左側面部５ｅとの境界部分、左側面部５ｅと下側面部５ｄとの境界部分、下側面部５ｄと右側面部５ｆとの境界部分、右側面部５ｆと上側面部５ｃとの境界部分がそれぞれ丸みを帯びたように（Ｒ面状に）形成されて構成される。ケース５は、平面視、底面視、または、側面視で、略錐台状に構成される。ケース５は、背面部５ｂに比べて正面部５ａの方が大きく構成され、上側面部５ｃ、下側面部５ｄ、左側面部５ｅ、および、右側面部５ｆがそれぞれ傾斜して構成される。
ケース５は、上側面部５ｃ、下側面部５ｄ、左側面部５ｅ、および、右側面部５ｆに、検知対象ガスや煙等をケース５内に取込むための複数個の通気孔５ｇをそれぞれ備える。ケース５の内部には、制御部やセンサ部等が配置される。ケース５は、正面部５ａに、報知部２、ランプ部３、操作部４等を備える。
ケース５は、複数個の部材が組合わされて構成される。ケース５は、ケース本体１０および蓋部材２０等で構成される。
【００１７】
ケース本体１０は、電池を収納する電池収容部１１を左側面部５ｅに備える。
ケース本体１０の電池収容部１１は、ケース本体１０から蓋部材２０を取外した状態で、電池を入替え可能に構成される。
【００１８】
ケース本体１０は、二個（複数個）の係合凹部１２を備える。
ケース本体１０の係合凹部１２は、電池収容部１１の開口の近傍に配置される。ケース本体１０の係合凹部１２は、電池収容部１１の上側と下側とにそれぞれ配置される。
【００１９】
図１１から図１７に示すように、蓋部材２０は、ケース本体１０の電池収容部１１の開口に蓋をする部材である。蓋部材２０は、ケース本体１０に取付けられた状態で、ケース５の一部（ケース５の左側面部５ｅの一部と背面部５ｂの一部）を構成する。蓋部材２０は、略平板状に構成される。
蓋部材２０は、蓋本体２１と、二個（複数個）のアーム２２と、二個（複数個）の係合凸部２３と、を備える。
【００２０】
蓋部材２０のアーム２２は、蓋本体２１の内側面（蓋本体２１の右側の面）に配置される。蓋部材２０のアーム２２は、蓋本体２１の上側と下側とにそれぞれ配置される。蓋部材２０のアーム２２は、先端側が正面側に突出するように構成される。蓋部材２０のアーム２２は、可撓性を有する。
【００２１】
蓋部材２０の係合凸部２３は、ケース本体１０の係合凹部１２と係合可能に構成される。蓋部材２０の係合凸部２３は、アーム２２のそれぞれの先端部に配置される。蓋部材２０の係合凸部２３は、蓋部材２０がケース本体１０に取付けられた状態を保持する爪であり、アーム２２の先端部から蓋本体２１の外側面（蓋本体２１の左側の面）側に突出する。  
【００２２】
このように構成される警報器１では、図１８または図１９に示すように、ケース本体１０の電池収容部１１の開口の近傍において背面側に突出するように蓋部材２０に配置する。そして、正面側に蓋部材２０を移動（スライド）させていき、ケース本体１０の係合凹部１２と蓋部材２０の係合凸部２３とを係合させる。このようにして、蓋部材２０がケース本体１０に取付けられる。
また、警報器１では、図２０または図２１に示すように、蓋部材２０の蓋本体２１の外側面を内側（右側）方向に押込みながら、蓋部材２０を背面側に移動させる。このように蓋部材２０の蓋本体２１を内側方向に押込みながら移動させることによって、蓋部材２０のアーム２２を撓ませながらケース本体１０の係合凹部１２と蓋部材２０の係合凸部２３とを係合状態を解消させる。このようにして、蓋部材２０がケース本体１０から取外される。
【００２３】
図１１から図２１に示すように、蓋部材２０は、制限部２４を備える。
蓋部材２０の制限部２４は、蓋部材２０がケース本体１０から取り外されるときのアーム２２の撓み量を制限する。
【００２４】
以上のように、蓋部材２０が制限部２４を備え、制限部２４によってアーム２２の撓み量が制限される、警報器１では、蓋部材２０がケース本体１０から取り外されるときのアーム２２の撓み量を制限部２４によって制限して、ケース本体１０から蓋部材２０の取外し難さを向上させることができる。
【００２５】
蓋部材２０の制限部２４は、蓋本体２１とアーム２２との間に配置される。蓋部材２０の制限部２４は、平板状に構成され、蓋本体２１とアーム２２とを連接するように構成される。蓋部材２０の制限部２４は、係合凸部２３の背面側から所定の間隔を空けて配置される。蓋部材２０の制限部２４は、アーム２２の基端部側からアーム２２の正面側への突出方向の中途部に亘って配置される。蓋部材２０の制限部２４の先端部（正面側端部）は、係合凸部２３よりも背面側に位置し、係合凸部２３よりも背面側に退避するようにして凹状に形成される。蓋部材２０の制限部２４の平面側端は、アーム２２の平面側端よりも底面側に位置し、アーム２２の平面側端よりも底面側に退避するようにして凹状に形成される。
【００２６】
以上のように、蓋部材２０の制限部２４が蓋本体２１とアーム２２との間に配置される、警報器１では、蓋部材２０の制限部２４が蓋本体２１とアーム２２との間に配置されることから、蓋部材２０がケース本体１０から取り外されるときのアーム２２の撓み量を制限部２４によってより確実に制限して、ケース本体１０から蓋部材２０の取外し難さをより確実に向上させることができる。
【００２７】
ケース本体１０は、係合凹部１２の背面側に所定のスペースを備え、当該所定のスペースの背面側に当接部１３を備える。ケース本体１０の当接部１３は、蓋部材２０がケース本体１０に取付け若しくは取外されるとき、また、蓋部材２０がケース本体１０に取付けられた状態で、蓋部材２０のアーム２２（下側側のアーム２２）と当接する。
蓋部材２０の制限部２４の先端部は、蓋部材２０がケース本体１０に取付けられた状態で、ケース本体１０の当接部１３よりも正面側に位置する。
【００２８】
以上のように、蓋部材２０の制限部２４の先端部が、ケース本体１０の当接部１３よりも正面側に位置する、警報器１では、蓋部材２０の制限部２４の先端部がケース本体１０の当接部１３よりも正面側に位置することから、ケース本体１０から取り外し始めから暫くの間（蓋部材２０の制限部２４の先端部がケース本体１０の当接部１３よりも正面側に突出する長さの分）、アーム２２の撓み量を制限部２４によってより確実に制限して、ケース本体１０から蓋部材２０の取外し難さをより確実に向上させることができる。
【００２９】
蓋部材２０の制限部２４は、例えば試作段階において、蓋部材２０を成形する金型を修正することによって、任意の形状に修正可能に構成される。
蓋部材２０の制限部２４は、蓋部材２０を成形する金型を修正することによって、係合凸部２３から背面側への退避量を修正して、先端部の位置を正面側または背面側に修正可能に構成される。また、蓋部材２０の制限部２４は、蓋部材２０を成形する金型を修正することによって、アーム２２の平面側端から底面側への退避量を修正して、平面側端の位置を平面側または底面側に修正可能に構成される。蓋部材２０の制限部２４は、このように任意の形状に修正されることによって、アーム２２の撓み量の制限度合を調節可能に構成される。
【００３０】
以上のように、蓋部材２０の制限部２４が、任意の形状に修正されることによって、アーム２２の撓み量の制限度合を調節可能に構成される、警報器１では、例えば試作時において、蓋部材２０の制限部２４の形状を任意の形状に修正してアーム２２の撓み量の制限度合を調節し、本体部材から蓋部材２０の取外し難さを調節することができる。
【００３１】
ケース本体１０は、二個の溝部１４を備える。
ケース本体１０の溝部１４は、電池収容部１１の開口の近傍に配置される。ケース本体１０の溝部１４は、電池収容部１１の上側と下側とにそれぞれ配置される。ケース本体１０の溝部１４は、係合凹部１２よりも背面側に配置される。ケース本体１０の溝部１４は、ケース本体１０の背面部５ｂに開口し、背面側から正面側に沿って形成される。
【００３２】
蓋部材２０は、二個の突出部２５を備える。
蓋部材２０の突出部２５は、蓋部材２０がケース本体１０に取付けられるとき、または、蓋部材２０がケース本体１０に取付けられた状態で、ケース本体１０の溝部１４内に位置する。蓋部材２０の突出部２５は、蓋本体２１の上側と下側とにそれぞれ配置される。蓋部材２０の突出部２５は、アーム２２よりも背面側に配置される。蓋部材２０の突出部２５は、背面側から正面側に沿って形成される。
【００３３】
以上のように、蓋部材２０がケース本体１０に取付けられるとき、蓋部材２０の突出部２５がケース本体１０の溝部１４内に位置する、警報器１では、蓋部材２０がケース本体１０に取付けられるときに蓋部材２０の突出部２５がケース本体１０の溝部１４内に位置することから、ケース本体１０の電池収容部１１の開口の近傍に蓋部材２０に配置したときに蓋部材２０が位置決めされ、また、案内されるように正面側に蓋部材２０を移動させることができる。したがって、警報器１によれば、蓋部材２０をケース本体１０に取付ける動作をよりスムーズに行うことができる。
【００３４】
蓋部材２０は、二個の突出部２５を備える。
蓋部材２０の突出部２５は、蓋部材２０がケース本体１０に取付けられるとき、または、蓋部材２０がケース本体１０に取付けられた状態で、ケース本体１０の溝部１４内に位置する。蓋部材２０の突出部２５は、蓋本体２１の上側と下側とにそれぞれ配置される。蓋部材２０の突出部２５は、アーム２２よりも背面側に配置される。蓋部材２０の突出部２５は、背面側から正面側に沿って形成される。
【００３５】
蓋部材２０の蓋本体２１の外側面（蓋部材２０がケース本体１０から取外されるときに押込まれる面）は、ケース５の一部（左側面部５ｅの一部）を構成することから傾斜して構成される。蓋部材２０の蓋本体２１の外側面は、蓋部材２０がケース本体１０から取外されるときの移動方向に対して傾斜して構成される。
蓋部材２０のアーム２２は、蓋部材２０がケース本体１０から取外されるときの移動方向とアーム２２の突出方向とが平行するように構成される。
蓋部材２０の突出部２５は、蓋部材２０がケース本体１０から取外されるときの移動方向に沿って形成される。
【００３６】
以上のように、蓋部材２０の蓋本体２１の外側面（蓋部材２０がケース本体１０から取外されるときに押込まれる面）が、蓋部材２０がケース本体１０から取外されるときの移動方向に対して傾斜して構成される、警報器１では、蓋部材２０をケース本体１０から取外すときに、蓋本体２１を内側に押込みながら背面側に移動スライドさせ易くなり、蓋部材２０をケース本体１０から取外す作業がより容易に行うことができる。
なお、蓋部材２０の蓋本体２１の外側面は、蓋部材２０がケース本体１０から取外されるときの移動方向と平行に構成することもできる。このように構成することによって、警報器１（ケース本体１０または蓋部材２０）の構成を簡易な設計とすることができる。
【００３７】
また以上のように、蓋部材２０が複数個のアーム２２と複数個の係合凸部２３とを備える、警報器１では、蓋部材２０が複数個のアーム２２と複数個の係合凸部２３とを備えることから、例えば警報器１を落下させて蓋部材２０が押し込まれたとき等において、意図せずに蓋部材２０がケース本体１０から外れることを抑制することができる。
なお、蓋部材２０が複数個のアーム２２と複数個の係合凸部２３とを備える構成とすることもできる。このように構成することによって、アーム２２と係合凸部２３とをそれぞれ複数個備える構成のものに比べて、蓋部材２０を簡易な構造とすることができる。
【００３８】
なお、警報器１は、ランプ部３の個数は警報器１の仕様に応じて変更することもできる（図２２参照）。
また、警報器１のケース５は、平面視、底面視、または、側面視で、長方形状に構成されて、背面部５ｂと正面部５ａとが略同一の大きさに構成され、上側面、下側面部５ｄ、左側面部５ｅ、および、右側面部５ｆがそれぞれ傾斜せずに構成することもできる（図２３参照）。
また、警報器１のケース本体１０が溝部１４に代えて突出部１５を備え、蓋部材２０が突出部２５に代えて溝部２６を備え、蓋部材２０がケース本体１０に取付けられるとき、または、蓋部材２０がケース本体１０に取付けられた状態で、ケース本体１０の溝部１５が蓋部材２０の溝部２６内位置する構成とすることもできる（図２４から図２７参照）。
【符号の説明】
【００３９】
１    警報器
２    報知部
３    ランプ部
４    操作部
５    ケース
１０  ケース本体
１１  電池収容部
１２  係合凹部
１３  当接部
１４  溝部
２０  蓋部材
２１  蓋本体
２２  アーム
２３  係合凸部
２４  制限部
２５  突出部
【図１】
0006598237.tif 000002
【図２】
0006598237.tif 000003
【図３】
0006598237.tif 000004
【図４】
0006598237.tif 000005
【図５】
0006598237.tif 000006
【図６】
0006598237.tif 000007
【図７】
0006598237.tif 000008
【図８】
0006598237.tif 000009
【図９】
0006598237.tif 000010
【図１０】
0006598237.tif 000011
【図１１】
0006598237.tif 000012
【図１２】
0006598237.tif 000013
【図１３】
0006598237.tif 000014
【図１４】
0006598237.tif 000015
【図１５】
0006598237.tif 000016
【図１６】
0006598237.tif 000017
【図１７】
0006598237.tif 000018
【図１８】
0006598237.tif 000019
【図１９】
0006598237.tif 000020
【図２０】
0006598237.tif 000021
【図２１】
0006598237.tif 000022
【図２２】
0006598237.tif 000023
【図２３】
0006598237.tif 000024
【図２４】
0006598237.tif 000025
【図２５】
0006598237.tif 000026
【図２６】
0006598237.tif 000027
【図２７】
0006598237.tif 000028